(57)【要約】    【課題】  身体の一部の姿勢維持を容易とし、かつその調整を自在に行うことができる、身体姿勢維持補助具を提供すること。    【解決手段】  本身体姿勢維持補助具は、身体の一部を支持するための身体支持部１と、該身体支持部１を略下方から支持する軸部３と、該軸部３が取り付けられた台座部５とからなるものであって、該身体支持部１は、身体の一部を載置するための枕部１１と、該枕部１１の姿勢を調節するための枕姿勢調節部１２とからなり、該軸部３は、その長さを調節することのできる軸長調節機構３１を備えていることを、主たる構成とする。【選択図】    図１
2005237811.tif 000002
【特許請求の範囲】
【請求項１】
身体の一部を支持するための身体支持部と、該身体支持部を略下方から支持する軸部と、該軸部が取り付けられた台座部とからなる身体姿勢維持補助具であって、該身体支持部は、身体の一部を載置するための枕部と、該枕部の姿勢を調節するための枕姿勢調節部とからなり、該軸部は、その長さを調節することのできる軸長調節機構を備えていることを特徴とする、身体姿勢維持補助具。
【請求項２】
前記枕姿勢調節部は、前記軸部長手方向に対する傾斜角度を調節するための枕傾斜角度調節部と、該軸部まわりの回転角度を調節するための枕回転角度調節部とを備えていることを特徴とする、請求項１に記載の身体姿勢維持補助具。
【請求項３】
前記枕傾斜角度調節部および枕回転角度調節部における調節は、ネジを用いた締結または弛緩によりなされることを特徴とする、請求項２に記載の身体姿勢維持補助具。
【請求項４】
前記軸部は、前記枕姿勢調節部の取り付けられたシャフトと、該シャフトが摺動可能なように収容されたシリンダと、該シリンダに対して該シャフトを任意の位置にて固定するための固定手段とからなることを特徴とする、請求項１ないし３のいずれかに記載の身体姿勢維持補助具。
【請求項５】
前記シャフトおよびシリンダは、前記軸長を短くする調節により該シリンダ内部の空気が圧縮されるように気密的に形成されていることを特徴とする、請求項４に記載の身体姿勢維持補助具。
【請求項６】
前記台座部は、該台座部の設置の傾斜角度を調節するための台座傾斜角度調節手段を備えていることを特徴とする、請求項１ないし５のいずれかに記載の身体姿勢維持補助具。
【請求項７】
前記台座傾斜角度調節手段は、前記台座部底面部に起立収納自在に設けられた一または二以上の脚部であることを特徴とする、請求項６に記載の身体姿勢維持補助具。
【請求項８】
前記台座傾斜角度調節手段は、前記台座部に対して特定の傾斜角度を与えるようにその脚部の脚長または最大起立角度の少なくともいずれか一方が形成された脚部が、二以上設けられてなることを特徴とする、請求項７に記載の身体姿勢維持補助具。
【請求項９】
前記脚部の先端部位と、該脚部の起立の際に前記台座部の傾斜の支点となる部位との少なくともいずれか一方が、略円弧状に形成されていることを特徴とする、請求項７または８に記載の身体姿勢維持補助具。
【請求項１０】
前記台座部の平面形状が、略円形状に形成されていることを特徴とする、請求項７または８に記載の身体姿勢維持補助具。
【請求項１１】
前記台座部のうち本補助具が載置面と接する部位の一部または全部に、載置面との間の滑りを防止することのできる滑り防止手段が設けられていることを特徴とする、請求項１ないし１０のいずれかに記載の身体姿勢維持補助具。
【請求項１２】
前記身体支持部は、頭部を支持するための頭部支持部であり、理容美容作業の際あるいはその他の場合において頭部の任意の姿勢維持を補助できるものであることを特徴とする、請求項１ないし１１のいずれかに記載の身体姿勢維持補助具。
【発明の詳細な説明】
【技術分野】
【０００１】
この発明は身体姿勢維持補助具に係り、特に、理容美容作業における頭部姿勢の維持など、身体の一部の姿勢維持を容易とし、かつその調整を自在に行うことのできる、身体姿勢維持補助具に関する。
【背景技術】
【０００２】
従来、介護を要する高齢者、身体障害者、あるいは傷病人に対して理容美容作業を行うには、その頭部を支持し、作業過程において適宜支持位置を調整しながら作業することは、容易ではなかった。特に、特別養護老人ホーム・病院・自宅等での介護において、寝たきりの人の理容・美容カット作業には、理容師や美容師一人でこれを為すことはできず、必ず介助者を必要としていた。
【０００３】
かかる問題の解決を目的として含む提案が従来どのようになされているかを知るため、社団法人発明協会の先行技術調査制度を用い、下記条件により検索調査を行った。
【０００４】
検索式：｛ＩＰＣ＝（Ａ４５Ｄ１９／００＋Ａ４５Ｄ４４／００）＋（Ａ４７Ｃ１／１０＋Ａ４７Ｃ７／３６＋Ａ６１Ｇ１５／１２）｝＊（頭部？＋頭＋ヘッド？＋枕形？＋枕）＊（病院？＋理美容？＋散髪？＋カット？＋洗髪？）＊｛（病院？＋寝たきり？＋障害者？＋老人？＋介護？＋介助？）＋（シャフト？＋シリンダ？＋３６０度？）＋（ヘッドレスト？）｝
調査資料：公開特許、公開・登録実用新案公報。
調査期間：昭和５５年１月〜平成１５年７月１５日公開分
一次検索結果：４０件
うち、上記社団の工業所有権技術評価センターのチェックにより関連すると考えられるとされた先行技術のリストを、下記特許文献として記す。
これら４文献はいずれも、椅子に取り付けるヘッドレスト装置に係るものであった。
【０００５】
【特許文献１】特開２０００−２７０９５９号公報「理美容用椅子のヘッドレスト装置」。要約。
【特許文献２】特開２０００−２８８０４２号公報「病院用椅子におけるヘッドレスト支持装置」。要約。
【特許文献３】特開２００２−１１０５８号公報「病院用椅子におけるヘッドレスト支持装置」。要約。
【特許文献４】実開平０２−５０２４０号公報「椅子のヘッドレスト装置」。要約。
【発明の開示】
【発明が解決しようとする課題】
【０００６】
しかし、これら従来技術は上述の通り、椅子に取り付けて用いるためのものであり、寝たきりの人のように、そもそも椅子に掛けさせることが困難もしくは煩雑であるような場合において、理美容作業の容易化を図ることのできるものではない。
【０００７】
また、理美容作業以外においても、寝たきりの人の食事や、テレビジョン視聴その他の際に、頭部の姿勢を位置調整自在に維持することが必要な場合がある。
【０００８】
さらに頭部以外においても、また寝たきり状態以外であっても、介護を要する高齢者、身体障害者、あるいは傷病人に対して腕、脚などの姿勢を維持することが必要な場合がある。
【０００９】
本発明の課題は、かかる従来技術の問題点を解決し、理容美容作業における頭部姿勢の維持など、身体の一部の姿勢維持を容易とし、かつその調整を自在に行うことができる、身体姿勢維持補助具を提供することである。また、携帯にも便利であり、姿勢維持対象となる人の体勢に合わせた位置調整が容易である、身体姿勢維持補助具を提供することである。
【課題を解決するための手段】
【００１０】
本願発明者は上記課題を解決するために鋭意検討した結果、その解決策たる本発明に至った。すなわち本願において開示される発明の概要は、以下のとおりである。
（１）  身体の一部を支持するための身体支持部と、該身体支持部を略下方から支持する軸部と、該軸部が取り付けられた台座部とからなる身体姿勢維持補助具であって、該身体支持部は、身体の一部を載置するための枕部と、該枕部の姿勢を調節するための枕姿勢調節部とからなり、該軸部は、その長さを調節することのできる軸長調節機構を備えていることを特徴とする、身体姿勢維持補助具。
（２）  前記枕姿勢調節部は、前記軸部長手方向に対する傾斜角度を調節するための枕傾斜角度調節部と、該軸部まわりの回転角度を調節するための枕回転角度調節部とを備えていることを特徴とする、（１）に記載の身体姿勢維持補助具。
（３）  前記枕傾斜角度調節部および枕回転角度調節部における調節は、ネジを用いた締結または弛緩によりなされることを特徴とする、（２）に記載の身体姿勢維持補助具。
（４）  前記軸部は、前記枕姿勢調節部の取り付けられたシャフトと、該シャフトが摺動可能なように収容されたシリンダと、該シリンダに対して該シャフトを任意の位置にて固定するための固定手段とからなることを特徴とする、（１）ないし（３）のいずれかに記載の身体姿勢維持補助具。
（５）  前記シャフトおよびシリンダは、前記軸長を短くする調節により該シリンダ内部の空気が圧縮されるように気密的に形成されていることを特徴とする、（４）に記載の身体姿勢維持補助具。
【００１１】
（６）  前記台座部は、該台座部の設置の傾斜角度を調節するための台座傾斜角度調節手段を備えていることを特徴とする、（１）ないし（５）のいずれかに記載の身体姿勢維持補助具。
（７）  前記台座傾斜角度調節手段は、前記台座部底面部に起立収納自在に設けられた一または二以上の脚部であることを特徴とする、（６）に記載の身体姿勢維持補助具。
（８）  前記台座傾斜角度調節手段は、前記台座部に対して特定の傾斜角度を与えるようにその脚部の脚長または最大起立角度の少なくともいずれか一方が形成された脚部が、二以上設けられてなることを特徴とする、（７）に記載の身体姿勢維持補助具。
（９）  前記脚部の先端部位と、該脚部の起立の際に前記台座部の傾斜の支点となる部位との少なくともいずれか一方が、略円弧状に形成されていることを特徴とする、（７）または（８）に記載の身体姿勢維持補助具。
（１０）  前記台座部の平面形状が、略円形状に形成されていることを特徴とする、（７）または（８）に記載の身体姿勢維持補助具。
（１１）  前記台座部のうち本補助具が載置面と接する部位の一部または全部に、載置面との間の滑りを防止することのできる滑り防止手段が設けられていることを特徴とする、（１）ないし（１０）のいずれかに記載の身体姿勢維持補助具。
（１２）  前記身体支持部は、頭部を支持するための頭部支持部であり、理容美容作業の際あるいはその他の場合において頭部の任意の姿勢維持を補助できるものであることを特徴とする、（１）ないし（１１）のいずれかに記載の身体姿勢維持補助具。
【発明の効果】
【００１２】
本発明の身体姿勢維持補助具は上述のように構成されるため、これによれば、理容美容作業における頭部姿勢の維持など、身体の一部の姿勢維持を容易とし、かつその調整を自在に行うことができる。また、携帯にも便利であり、姿勢維持対象となる人の体勢に合わせた位置調整を容易とすることができる。
【００１３】
本発明の身体姿勢維持補助具を、特に理美容作業を主体とした頭部姿勢維持に用いる場合、下記の各効果がある。
（ａ）寝たきりの人の理容・美容のカットにおいて、介助者をつけることなく理容師・美容師単独でこれを行うことができる。
（ｂ）身体姿勢維持補助具を一度被作業者の頭部にあてがった以後は、作業終了まで、被作業者自身が頭部や身体を特に動かす必要がない。
（ｃ）小型軽量かつ携帯自在に形成することができ、椅子など特に他の物品に固定する必要がない。それにより、布団・ベッドに寝たきりの人、リクライニングベッド上、畳・板の間の上など、あらゆる状況や場所においても、本発明品を用いて容易かつ自在に作業することができる。
【００１４】
（ｄ）傾斜・回転角度調節、軸長調節はすべて手動により行えるよう構成できるため、電力、電池、油圧等の特別のエネルギーを必要とせず、使用場所を選ばない。もっとも、各調節をこれらのエネルギーを用いて行う方式とすることも、本発明の範囲内である。
【００１５】
（ｅ）頭部支持部は回転・傾斜自在に調節できるため、それにより、側頭後部を含め頭部全体への作業をむらなく円滑に行うことができる。
（ｆ）頭部、首部、背中の体勢・形状の個人差やその時の体勢にも、台座部の傾斜角度調節手段による傾斜角度調節、軸部による高さ調節を行うことにより、対応できる。
（ｇ）円形軸のシャフトと枕姿勢調節部により、被作業者が頭部支持部に頭部を載せたままであってもこれを３６０度回転させることができ、作業の各過程における傾斜角度・回転角度の調節が自在にできる。
【００１６】
（ｈ）枕部はその素材をスポンジ等の弾力性材料あるいは柔軟性材料とすることにより、被作業者への違和感を排除し、逆に快適感を与えることができる。
【００１７】
（ｉ）首が左右方向に曲がったまま動かすことのできない人、背骨が弓なりに変形してしまっている人など身体姿勢に異常を来している人に対しても、その姿勢に合わせて作業に適した姿勢維持を補助することができる。
（ｊ）逆に、頭部の動き・姿勢を安定させることのできない人に対しても、これを安定させるように姿勢維持することができる。
【００１８】
（ｋ）シャフトとシリンダの構成を、シャフトを下方に押圧した際にシリンダ内部の空気が圧縮されるように気密的に形成することにより、軸部のシャフトにより高さを高く調節し、その後これを解除する場合にも、エアクッションが効いた状態となり、被作業者頭部の急激な下降を防止することができ、危険防止となるとともに快適さを提供できる。
【００１９】
（ｌ）脚部等の先端部位を略円弧状に形成することにより、ベッド等の柔軟性基盤上に本具を脚部を起立させて使用した場合、それがベッド等に刺さり込むもしくは沈み込む作用を生じ、それにより台座部が周囲から囲まれ固定される状態となるため、載置基盤に対する本具全体の位置固定がなされ、位置ずれを頻繁に修正する必要がなく、作業効率が高まる。
（ｍ）載置基盤が畳、板の間等の硬い基盤である場合は、脚部を収納したままで用いることにより、本具全体の位置固定を容易に行える。
（ｎ）ベッドを、たとえば４５度以上などの下方へずり落ちやすい角度に起こして作業する場合であっても、脚部を起立させ、頭部支持部の傾斜角度を調節することによって下方へのずり落ちを防止しつつ作業することができる。
【発明を実施するための最良の形態】
【００２０】
以下、本発明について図を用いて説明する。
図１は、本発明の身体姿勢維持補助具の基本構成例を示す略立面視の斜視説明図である。図において本身体姿勢維持補助具は、身体の一部を支持するための身体支持部１と、該身体支持部１を略下方から支持する軸部３と、該軸部３が取り付けられた台座部５とからなるものであって、該身体支持部１は、身体の一部を載置するための枕部１１と、該枕部１１の姿勢を調節するための枕姿勢調節部１２とからなり、該軸部３は、その長さを調節することのできる軸長調節機構３１を備えていることを、主たる構成とする（上記（１）の発明）。なお、図において本身体姿勢維持補助具は、該軸部３においてその軸長が長く調節されている状態である。
【００２１】
図において本身体姿勢維持補助具は上述のように構成されているため、該台座部５により該軸部３が支持され、該軸部３により該身体支持部１が略下方から支持され、該身体支持部１により身体の一部が支持される。該身体支持部１においては、該枕部１１によって身体の一部が載置され、該枕姿勢調節部１２によって該枕部１１の姿勢が調節される。そして、該軸長調節機構３１によって該軸部３はその長さが調節される。
【００２２】
図２は、図１に示した本発明身体姿勢維持補助具の別の状態を示す略立面視の斜視説明図である。図において本身体姿勢維持補助具では、前記枕姿勢調節部（１２）を、前記軸部３長手方向に対する傾斜角度を調節するための枕傾斜角度調節部１２Ｔと、該軸部３まわりの回転角度を調節するための枕回転角度調節部１２Ｒとを備えた構成とすることができる（上記（２）の発明）。なお、図において本身体姿勢維持補助具は、該軸部３においてその軸長が短く調節され、かつ台座部５において後述する台座傾斜角度調節手段５２が起立している状態である。
【００２３】
かかる構成により、前記枕部１１の姿勢は、該枕傾斜角度調節部１２Ｔによって前記軸部３長手方向に対する傾斜角度調節がなされ、また、該枕回転角度調節部１２Ｒによって該軸部３まわりの回転角度調節がなされる。すなわち、両角度調節部１２Ｔ、１２Ｒを用いこれを適宜傾斜させたり回転させたりすることによって、その上方に取り付けられている該枕部１１の該軸部３に対する傾斜および回転角度の調節を自在に行うことができる。これをもって、該枕部１１の身体に対する傾斜角度、回転角度位置の自在な調節とすることができる。
【００２４】
この場合、傾斜角度、回転角度の調節範囲は特に限定されず適宜の範囲とすることができ、いずれも最大３６０度の回転とすることもできるし、あるいはより限定した角度範囲とすることも本発明から排除されない。
【００２５】
図において本身体姿勢維持補助具では、前記枕傾斜角度調節部１２Ｔおよび枕回転角度調節部１２Ｒにおける調節を、押さえネジ等、ネジを用いた締結または弛緩により簡易になす構成とすることができる（上記（３）の発明）。これにより、上記各調節を手動にて簡便に行うことができ、たとえば被作業者の頭部を支持しての理美容作業等の際の優れた作業性を維持することができる。
【００２６】
図において本身体姿勢維持補助具は、前記軸部３が、前記枕姿勢調節部１２Ｔ、１２Ｒの取り付けられたシャフト３３と、該シャフト３３が摺動可能なように収容されたシリンダ３４と、該シリンダ３４に対して該シャフト３３を任意の位置にて固定するための固定手段３５とからなる構成とすることができる（上記（４）の発明）。
【００２７】
かかる構成により、前記枕姿勢調節部１２Ｔ、１２Ｒの取り付けられたシャフト３３は該シリンダ３４に収容された状態でこれを摺動させることができ、かつ、該固定手段３５により、該シリンダ３４に対して該シャフト３３を任意の位置にて固定することができる。これにより、該軸部３の軸長を自在に調節し、もっって身体に対する該身体支持部（１）の高さ位置調節とすることができる。
【００２８】
図において本身体姿勢維持補助具は、前記シャフト３３およびシリンダ３４を、前記軸長を短くする調節により該シリンダ３４内部の空気が圧縮されるように気密的に形成されたものとすることができる（上記（５）の発明）。
【００２９】
かかる構成により、前記軸長を短く調節するために、該シャフト３３を下方に移動させようとする際、該シリンダ３４内部の空気は圧縮を受けて、該下方への力に対する反力として作用するため、いわばエアクッションが働き、該シャフト３３およびその上方に備えられた身体支持部（１）の急激な下降が防止され、エアクッションによる弾性をもって、衝撃のない状態あるいはそれが相当に軽減された状態での下降がなされ、身体の急激な下降に伴う危険性が回避される。
【００３０】
図３は、図１に示した本発明身体姿勢維持補助具の台座部の詳細例を示す斜視説明図である。図３および前出図２において本身体姿勢維持補助具は、前記台座５部が、該台座部５の設置の傾斜角度を調節するための台座傾斜角度調節手段５２を備えている構成とすることができる（上記（６）の発明）。
【００３１】
該台座角度調節手段としては、図示するような一または二以上の脚部５２Ｆを用いることができるが、本発明はこれに限定されず、たとえば空気など適宜の流体の出入によって膨張収縮の可能な適宜形状の袋状体を用い、もって台座５の傾斜角度を調節することとすることも、またたとえば、それ自身に角度調節用の係止部や孔部あるいは本発明の軸部のような調節機構を備えた単独の脚部をもって台座角度調節手段とすることも、本発明の範囲から除外されない。要するに、該台座部５を載置基盤状に載置する際に、傾斜角度を自在につけることのできる手段は、すべて本発明の台座角度調節手段に該当する。
【００３２】
図の例は、二の脚部５２ＦＡ、５２ＦＢを前記台座傾斜角度調節手段とするものであるが、これは図のように、前記台座部５底面部に起立収納自在に一または二以上を設けることとすることができる（上記（７）の発明）。図の例は、いずれの脚部５２ＦＡ、５２ＦＢともに、これらを最大限起立させた状態を示す。
【００３３】
つまり本例の台座傾斜角度調節手段としての脚長サイズの異なる各脚部５２ＦＡ、５２ＦＢは、これらを完全に起立させるかまたは該台座部５底部の収納用凹部に収納するかのいずれかを選択することにより、二通りの傾斜角度調整を可能とするものである。角度調整方法がこれに限定されず、たとえば脚部を三以上設けたり、上述したような別の方法を用いてもよいことは言うまでもない。
【００３４】
すなわち図示例の台座傾斜角度調節手段５２は、前記台座部５に対して特定の傾斜角度を与えるようにその脚長または最大起立角度の少なくともいずれか一方が形成された脚部５２Ｆが、二以上設けられてなる構成であるといえ（上記（８）の発明）、図における各脚部５２ＦＡ、５２ＦＢのいずれかを最大に起立させたとき、それぞれにつき予め設定されている脚長または最大起立角度に応じて、該台座５の傾斜角度を決めることができる。使用しない方の脚部は、前記収納用凹部に、嵌め込み用部位を設けたり、マジックテープ等を設けたり、その他の適宜の方法により、保持可能に収納する構成とすることができる。
【００３５】
図２および図３において、本発明身体姿勢維持補助具は、前記脚部５２Ｆの先端部位５２Ｇと、該脚部５２Ｆの起立の際に前記台座部５の傾斜の支点となる部位５６との少なくともいずれか一方が、略円弧状に形成された構成とすることができる（上記（９）の発明）。ここで略円弧状には、円弧状と、これに類した曲線状を含む。
【００３６】
かかる構成により、本発明身体姿勢維持補助具は、該脚部５２Ｆを起立させて該台座部５とともに台座部全体を略人の字形の姿勢にして、ベッドや布団等の柔軟性の基盤上に載置された場合に、該略人の字形の二の下部先端部の少なくともいずれか一方が、その略円弧状の形状により該基盤に対して刺さり込むもしくは埋まり込む状態となって周囲から固定を受け、本身体姿勢維持補助具全体の載置が安定したものとなる。
【００３７】
略円弧状に形成するのは、少なくともいずれか一方でよいが、該台座部５自体の平面形状を略円形状に形成しておくことにより、上記作用・効果を充分に発揮することができる（上記（１０）の発明）。
【００３８】
図１、２および３において、本発明身体姿勢維持補助具は、前記台座部５のうち本補助具が載置面と接する部位の一部または全部に、載置面との間の滑りを防止することのできる滑り防止手段（図示せず）を設けた構成とすることができる（上記（１１）の発明）。該滑り防止手段としては、たとえばゴム等の摩擦係数の大きい材料からなり該台座部５の所定箇所に貼り付けることのできる片状部材や、あるいは該台座部５の所定部位に載置面との摩擦を生じるよう形成された凹凸形状部を、用いることができる。
【００３９】
かかる構成により、該台座部５に傾斜角度をつけて用いるか否かに関わらず、基盤上の載置面との間での滑りを防止して載置を安定させることができる。
【００４０】
図４、５および６は、図１に示した本発明身体姿勢維持補助具の調節例をそれぞれ略側面方向から示す斜視説明図である。
図４では、前記脚部５２ＦＢが起立されて前記台座５に傾斜角度がつけられ、かつ軸部（３）は前記シャフト（３３）が前記シリンダ３４内に最大限収納されて前記固定手段３５により該シリンダ３４への収納が固定され、軸長が短くすなわち軸部（３）が身体に対して最も低い状態として調節されている。もう一方の脚部（５２ＦＡ）は、該台座部５の底部に収容されている状態である。該台座部５の傾斜の支点となる部位５６は、図示しない柔軟性基盤の載置面に刺さり込み、該脚部５２ＦＢとともに、本補助具の載置を安定化している。
【００４１】
図５では、図４の状態から該軸部３の軸長が伸ばされた状態となっており、該シャフト３３は該シリンダ３４から相当出ていて固定されている。
【００４２】
図６には、図４の状態から該脚部５２ＦＢを該台座部５底部に収容し、代わりに該脚部５２ＦＡを起立させて、該台座部５に異なる傾斜角度を与えている状態が示されている。
【００４３】
図４、５または６において、本身体姿勢維持補助具の該枕傾斜角度調節部１２Ｔをこれらに図示されているのとは反対方向に傾斜させて用いることにより、該脚部５２ＦＡまたは５２ＦＢを下方、該先端部位５６を上方として、本補助具を、たとえば４５度程度の傾斜に起こされたベッド上に置く際に、該脚部５２ＦＡまたは５２Ｆｂがベッド面に刺さり込みもしくは埋まり込み、周囲からの固定作用を受けるため、補助具の下方へのずり落ちを防ぐことができる。
【００４４】
以上、図による具体例をもって説明したように、本発明の身体姿勢維持補助具は、維持すべき姿勢に応じて、前記台座部５の前記台座傾斜角度調節手段５２Ｆや該台座部５の先端部位５２Ｇにより載置を安定させ、身体の頭部、腕、脚などをその枕部１１に載置し、前記軸部３や前記台座傾斜角度調節手段５２Ｆによりその姿勢支持高さを調節し、前記枕傾斜角度調節部１２Ｔや該台座傾斜角度調節手段５２Ｆによりその姿勢支持方向・高低角度を調節し、前記枕回転角度調節部１２Ｒによりその姿勢支持位置を適宜調節することができる。
【００４５】
したがって、寝たきり等の姿勢の高齢者・身体障害者・傷病人等に対する理美容作業、施療、食事の世話、その他あらゆる必要による姿勢維持の用途に、幅広く用いることができる。
【００４６】
図７、８および９は、本発明身体姿勢維持補助具を頭部支持の目的に使用した例を示す斜視説明図である。各図において示すように、載置された頭部に対する枕部１１による支持位置を、枕傾斜角度調節部１２Ｔや枕回転角度調節部１２Ｒを調節することにより、自由自在に変化させることができ、たとえば理美容作業を相当容易なものとすることができる（上記（１２）の発明）。つまり理美容作業では、該枕部１１を適宜位置に容易に調節できることにより、作業すべきすべての頭部上部位に対して極めて効率的にかつ容易に、所定の作業を進めることができる。
【産業上の利用可能性】
【００４７】
以上の説明では、主として頭部支持、特に理美容作業面における作用効果を主体に本発明身体姿勢維持補助具の利点を説明したが、本発明の利用範囲がこれに限られないことは上述のとおりである。たとえば頭部姿勢維持に関しては、寝たきりの人の食事における頭部姿勢維持補助に用いることもできる。つまり、寝たきりの人の頭部を、本発明補助具によりたとえば３０〜４５度程度の傾斜角度になるように姿勢維持することにより、食事の喉の通りが極めて円滑となり、寝たきりの人本人および介助者双方にとって、便利さと快適さを提供することができる。もちろん用途はこれらに限られない。
【００４８】
福祉・介護・医療分野における各種作業やその他において必要な身体姿勢維持はもちろん、健常者による日用品としても用いることができ、産業上の利用性が極めて高い発明である。
【図面の簡単な説明】
【００４９】
【図１】本発明の身体姿勢維持補助具の基本構成例を示す略立面視の斜視説明図である。
【図２】図１に示した本発明身体姿勢維持補助具の別の状態を示す略立面視の斜視説明図である。
【図３】図１に示した本発明身体姿勢維持補助具の台座部の詳細例を示す斜視説明図である。
【図４】図１に示した本発明身体姿勢維持補助具の調節例を略側面方向から示す斜視説明図である。
【図５】図１に示した本発明身体姿勢維持補助具の別の調節例を略側面方向から示す斜視説明図である。
【図６】図１に示した本発明身体姿勢維持補助具の別の調節例を略側面方向から示す斜視説明図である。
【図７】本発明身体姿勢維持補助具を頭部支持の目的に使用した例を示す斜視説明図である。
【図８】本発明身体姿勢維持補助具を頭部支持の目的に使用した別の例を示す斜視説明図である。
【図９】本発明身体姿勢維持補助具を頭部支持の目的に使用した別の例を示す斜視説明図である。
【符号の説明】
【００５０】
１…身体支持部
３…軸部
５…台座部
１１…枕部
１２…枕姿勢調節部
３１…軸長調節機構
１２Ｔ…枕傾斜角度調節部
１２Ｒ…枕回転角度調節部
３３…シャフト
３４…シリンダ
３５…固定手段
５２…台座傾斜角度調節手段
５２Ｆ、５２ＦＡ、５２ＦＢ…脚部
５２Ｇ…脚部の先端部位
５６…台座部の支点となる部位
【図１】
2005237811.tif 000003
【図２】
2005237811.tif 000004
【図３】
2005237811.tif 000005
【図４】
2005237811.tif 000006
【図５】
2005237811.tif 000007
【図６】
2005237811.tif 000008
【図７】
2005237811.tif 000009
【図８】
2005237811.tif 000010
【図９】
2005237811.tif 000011